(57)【要約】      （修正有）【課題】頂部を底辺とする逆三角形状に切除又は切り落して鋸刃形状の穴開け刃部を連接形成し、畠の畝に敷込んだビニールをカットし、迅速に突刺できる鋸刃形状の穴開け刃部を連接状に形成した穴開け本体を提供する。【解決手段】金属板製穴開け本体ａを構成する下方縁部４にして、且左端部より右端部にかけて台形状部を連接状に形成せしめ、前記台形状部の頂部に逆三角形状に切除もしくは切り落して鋸刃形状の刃部９を連接状に形成せしめた。【選択図】図７
0003213963.tif 000002
【実用新案登録請求の範囲】
【請求項１】
組立てられると上方が上方開口部となり、下方が鋸刃形状の穴開け刃部が連接状に形成せしめられ下方開口部となる植付け用穴開け器を構成する展開状の金属板製穴開け本体において、
前記金属板製穴開け本体を構成する下方縁部にして、且左端部より右端部にかけて台形状部を連接状に形成せしめ、前記台形状部の頂部に逆三角形状に切除もしくは切り落して鋸刃形状の刃部を連接状に形成せしめることを特徴とする、植付け用穴開け器の金属板製穴開け本体。
【請求項２】
前記穴開け本体を構成する台形状部の頂部が、水平状にて形成せしめられ、且前記台形状部の左右両側部に左傾斜状部と右傾斜状部が対称的に形成せしめられ、前記左傾斜状部と前記右傾斜状部の下方基部が、逆三角形状の谷部となっていることを特徴とする、請求項１に記載の植付け用穴開け器の金属板製穴開け本体。
【請求項３】
前記連接状に形成せしめられた各台形状部の左傾斜状部と右傾斜状部が前記谷部までの長さを夫々同一にて形成せしめられていることを特徴とする、請求項１又は２に記載の植付け用穴開け器の金属板製穴開け本体。
【請求項４】
前記台形状部の各頂部が、同一の高さにて形成せしめられていることを特徴とする、請求項１又は２又は３に記載の植付け用穴開け器の金属板製穴開け本体。
【請求項５】
前記台形状部の各谷部が、同一の深さにて形成せしめられていることを特徴とする、請求項１又は２又は３又は４に記載の植付け用穴開け器の金属板製穴開け本体。
【考案の詳細な説明】
【技術分野】
【０００１】
本考案は、植付け用穴開け器を構成する金属板製穴開け本体の技術分野に関するものである。
【背景技術】
【０００２】
従来、植付け用穴開け器として、特許文献１に係る実用新案登録第３１２４７７３号公報が開示されている。
【０００３】
前記開示の特許文献１に記載の植付け用穴開け器には、金属板製にして、下方開口部２に鋸刃形状のビニールカット用刃部３が複数連接して形成されている。
【０００４】
特許文献１に掲載されている植付け用穴開け器は、本件実用新案登録出願人が開発したものであり、前記植付け用穴開け器を構成する金属板製穴開け本体の下方部に突設せしめられている鋸刃形状をしたビニールカット用刃部が、１回のプレスによる打ち抜きにて形成されていた。
【０００５】
そのため、形成された刃部の刃先が、鋭角状にして、且尖状となっているか否かを検査し、尖状となっていない刃部が発見されると、ヤスリ等を使って尖状に仕上げなければならなかった。
【先行技術文献】
【特許文献】
【０００６】
【特許文献１】実用新案登録第３１２４７７３号公報
【考案の概要】
【考案が解決しようとする課題】
【０００７】
しかるに、本考案の植付け用穴開け器を構成する金属板製穴開け本体は、該穴開け本体を構成する下方開口部となる下方部に、ビニール片をカットするカット用刃部を形成する工程として、第１に円筒形状に丸目込まれる以前のいわゆる展開状態となって延設する金属製板材の下方縁部に、台形状部を連接状に形成せしめ、第２工程として、前記のようにして形成の連接せしめられた台形状部の頂部を、底辺とする逆三角形状に切除もしくは切り落して前記頂部の左右両サイドに鋭角状にして、且鋸刃形状の穴開け刃部を連接状に形成せしめるものである。
【０００８】
さらに本考案は、前記のように展開状態の金属製板材の下方縁部に、鋭角状にして、且鋸刃形状の穴開け刃部を２工程にして形成することによって、従来の刃部の形成工程によって形成されていきた穴開け刃部の修正のための補正作業が解消され、穴開け刃部の刃部としての精度が高められると共に、製造費の昂騰をも解消し安価に製造できるようにした。
【課題を解決するための手段】
【０００９】
上記課題を解決するための手段として、請求項１に記載の考案は、組立てられると上方が上方開口部１となり、下方が鋸刃形状の穴開け刃部９が連接状に形成せしめられ下方開口部３となる植付け用穴開け器Ａを構成する展開状の金属板製穴開け本体ａにおいて、
前記金属板製穴開け本体ａを構成する下方縁部４にして、且左端部５より右端部６にかけて台形状部７を連接状に形成せしめ、前記台形状部７の頂部８に逆三角形状に切除もしくは切り落して鋸刃形状の刃部９を連接状に形成せしめることを特徴とする植付け用穴開け器の金属板製穴開け本体である。
【００１０】
請求項２に記載の考案は、前記穴開け本体ａを構成する台形状部７の頂部８が、水平状にて形成せしめられ、且前記台形状部７の左右両側部に左傾斜状部１０と右傾斜状部１１が対称的に形成せしめられ、前記左傾斜状部１０と前記右傾斜状部１１の下方基部が、逆三角形状の谷部１２となっていることを特徴とする植付け用穴開け器の金属板製穴開け本体である。      
【００１１】
請求項３に記載の考案は、前記連接状に形成せしめられた各台形状部７の左傾斜状部１０と右傾斜状部１１が前記谷部１２までの長さを夫々同一にて形成せしめられていることを特徴とする植付け用穴開け器の金属板製穴開け本体である。
【００１２】
請求項４に記載の考案は、前記台形状部７の各頂部８が、同一の高さにて形成せしめられていることを特徴とする植付け用穴開け器の金属板製穴開け本体である。
【００１３】
請求項５に記載の考案は、前記台形状部７の各谷部１２が、同一の深さにて形成せしめられていることを特徴とする植付け用穴開け器の金属板製穴開け本体である。
【考案の効果】
【００１４】
本考案は、上述のとおりの構成なので、展開状の金属板製の穴開け本体を構成する下方縁部に鋭角状にして、且尖状の鋸刃形状のビニール及び土に突刺する穴開け刃部を、第１工程として、展開せしめ平板状にした刃部としての原形の形状となる台形状部を連接形成せしめ、つぎに前記台形状部を構成する水平状にして、且所定の長さの頂部を、前記頂部の左右両サイドの角部もしくはその周辺が尖状となるように、頂部を底辺とする逆三角形状に切除もしくは切り落して鋸刃形状の穴開け刃部を連接形成せしめたので、畠の畝に敷込んだビニールをカットし、同時に前記ビニールの下方部の畠の土に極めて簡単にして、且迅速に突刺できる鋸刃形状の穴開け刃部を連接状に形成することができる利点がある。
【００１５】
さらに、本考案は、畠の畝に敷込んだビニールをカットし、同時にビニールの下方部の畠の土中に迅速にして、且極めて容易に突刺できる鋸刃形状の穴開け刃部を、頂部を逆三角状にて切除もしくは切り落して形成するようにしたので、形成せしめられた前記穴開け刃部が、鋭角状にして、且きれいに形成され、そのため切除もしくは切り落され形成された刃部を、ヤスリ等をかけて修正もしくは補正するための補正作業が解消せしめられると共に、植付け用穴開け器を構成する金属板製穴開け本体を安価に製造できる利点がある。
【図面の簡単な説明】
【００１６】
【図１】本考案植付け用穴開け器の金属板製穴開け本体の正面図である。
【図２】図１の穴開け本体の下方周縁部にビニールをカットし、土に突刺する穴開け刃部を形成せしめる台形状部を連接形成せしめた穴開け本体の正面図である。
【図３】図２の穴開け本体の台形状部の頂部を逆三角形状に切除もしくは切落しせしめた状態の穴開け本体の正面図である。
【図４】図３の穴開け本体の台形状部に形成せしめた鋸刃状の刃部を形成せしめた穴開け本体の正面図である。
【図５】図２の穴開け本体に台形状部を形成する金型中、下型の平面図である。
【図６】図２の下型に嵌挿せしめる上型の平面図である。
【図７】図４に図示する穴開け本体を組込んだ植付け用穴開け器の組立て斜視図である。
【図８】図７の植付け用穴開け器を土中に突刺した際の縦断正面図である。
【図９】図８の植付け用穴開け器によって開けられた穴を有する畝の縦断面図である。
【考案を実施するための最良の形態】
【００１７】
本考案における請求項１〜５に記載の考案に関する実施の形態は、共通しているので、以下のとおり一括して説明する。
【００１８】
図において、Ａは本考案の植付け用穴開け器であり、以下の構成である。
【００１９】
本考案の穴開け器Ａは、穴開け本体ａと握持体ｂと、操作杆ｃと押圧板ｄとキャッチ部ｅと、つかみ部ｆとの部材から構成されている。以下各構成部材の実施の形態を説明する。
【００２０】
＜実施例の１＞
前記穴開け本体ａの実施の形態は、以下のとおりである。
【００２１】
すなわち、本考案における該穴開け本体ａは、以下のように金属製板材（例えばさびないステンレス鋼板）を所定の形状、例えば図１に図示する長方形状にて形成する。
【００２２】
前記のように形成された穴開け本体ａの下方縁部４にして、且左端部５より右端部６にかけて同一形状の台形状部７を連接形成せしめる。
【００２３】
その際前記台形状部７は、所定の高さにして、水平状の頂部８を有し、前記頂部８の左側方には、左傾斜状部１０が、前記頂部８の右側方には右傾斜状部１１が夫々形成される。
【００２４】
そして前記左傾斜状部１０の長さと、前記右傾斜状部１１の長さは、同一もしくは稍同一となり、且谷部１２が夫々形成される。
【００２５】
さらに本考案においては、前記台形状部７の頂部８に、頂部８を底辺とする逆三角形状に切除もしくは切り落して鋸刃形状の穴開け刃部９が連接形成せしめられる。
【００２６】
また、前記穴開け刃部９を連接せしめる際に、前記頂部８の左右両角部８ａ、８ｂが鋸刃形状の鋭角状にして、且尖状となるように、所定の工具（例えば金型）を使用して逆三角形状に切除もしくは切り落し鋸刃形状の穴開け刃部９を連接状に形成せしめる。
【００２７】
８ｃは逆三角形状によって切除もしくは切り落される切除部である。
【００２８】
さらに前記のように形成せしめられた穴開け本体ａの鋸刃形状の穴開け刃部９は、前記台形状部７の頂部８に逆三角形状に切除もしくは切り落し、尖状にして、且鋸刃形状の穴開け刃部９が連接状に形成されると、前記左傾斜状部１０と、右傾斜状部１１の下方基部が夫々同一の長さの逆三角形状の谷部１２が形成される。
【００２９】
そして、前記頂部８に形成せしめられた逆三角形状の穴開け刃部９は、尖状にして、鋸刃形状にて形成される。
【００３０】
前記した本考案の展開状の金属板製穴開け本体ａは、円筒形状に丸目られると上方部が上方開口部１となり、下方部が刃部９が連接状に形成せしめられる下方開口部３となる。
【００３１】
本考案の穴開け本体ａは、前記上方開口部１と下方開口部３との間の側壁面部に、補強用リブ１３が形成される。
【００３２】
さらに本考案の穴開け本体ａは、植え付けようとする野菜、苗、花苗、球根等が嵌込むにふさわしい大きさの植付け用穴１４が開けられるように、径状が異なる種類のものを形成する。
【００３３】
＜実施例の２＞
本考案の以上のような構成からなる穴開け本体ａは、所定の大きさにカットされた後、上方金型部ｇと下方金型部ｈによって形成される。
【００３４】
前記上方金型部ｇには、穴開け本体ａに連接形成せしめられた台形状部７を形成する上方台形状型部７ａとピン７ｂ、７ｂが板部７ｃに突設されている。
【００３５】
前記下方金型部ｈには、穴開け本体ａに連接形成せしめられた下方台形状型部７ｄとピン穴７ｅ、７ｅが板部７ｆに形成されている。
【００３６】
＜実施例の３＞
つぎに握持体ｂの実施の形態について説明する。
【００３７】
この握持体ｂは、湾曲状に折曲せしめた左側端部１５と右側端部１６とを前記穴開け本体ａの上方開口部１に取着する。そして前記握持体ｂの頂部１７に孔１８を設ける。そして前記孔１８に貫通孔１９ａを設けたカラー部１９を嵌め込んでやる。
【００３８】
＜実施例の４＞
さらに操作杆ｃは、頭部２０から先端部２１までの全長が、前記握持体ｂの頂部１７から刃部９までの高さより若干短目に形成する。仮に操作杆ｃの長さが長いと、尖状となっている先端部２１が刃部９より飛出し、手指等が引掛り怪我をするおそれがあるので短く形成する。
【００３９】
＜実施例の５＞
前記操作杆ｃは、前記カラー部１９の貫通孔１９ａに貫通せしめ、前記穴開け本体ａ内に水平状に嵌挿する押圧板ｄの中央部より所定の長さだけ突出せしめ組立てる。前記押圧板ｄより突出する操作杆ｃの先端部２１は、刃部９によってカットされたビニール片の中央部分を突刺する機能を有している。さらに操作杆ｃの下方部はネジ２１ａを刻設する。そして前記操作杆ｃの頭部２０につかみ部ｆを固着する。
【００４０】
以上、実施形態を図面に基づいて説明したが、本考案は、図示例の限りではなく、その技術的思想を逸脱しない範囲において、当業者が通常に行う設計変更、応用のバリエーションの範囲を含むことを念のために言及する。
【符号の説明】
【００４１】
Ａ      穴開け器
ａ      穴開け本体
ｂ      握持体
ｃ      操作杆
ｄ      押圧板
ｅ      キャッチ部
ｆ      つかみ部
ｇ      上方金型部
ｈ      下方金型部
１      上方開口部
３      下方開口部
４      下方縁部
５      左端部
６      右端部  
７      台形状部
７ａ    上方台形状型部
７ｂ    ピン
７ｃ    板部
７ｄ    下方台形状型部
７ｅ    ピン孔
７ｆ    板部
８      頂部
８ａ    両角部
８ｂ    両角部
８ｃ    切除部
９      穴開け刃部
１０    左傾斜状部
１１    右傾斜状部
１２    谷部
１３    補強用リブ
１４    植付け用穴
１５    左側端部
１６    右側端部
１７    頂部
１８    孔
１９    カラー部
１９ａ  貫通孔
２０    頭部
２１    先端部
２１ａ  ネジ
【図１】
0003213963.tif 000003
【図２】
0003213963.tif 000004
【図３】
0003213963.tif 000005
【図４】
0003213963.tif 000006
【図５】
0003213963.tif 000007
【図６】
0003213963.tif 000008
【図７】
0003213963.tif 000009
【図８】
0003213963.tif 000010
【図９】
0003213963.tif 000011
【手続補正書】
【提出日】平成29年10月18日(2017.10.18)
【手続補正１】
【補正対象書類名】実用新案登録請求の範囲
【補正対象項目名】全文
【補正方法】変更
【補正の内容】
【実用新案登録請求の範囲】
【請求項１】
組立てられると上方が上方開口部となり、下方が鋸刃形状の穴開け刃部が連接状に形成せしめられ下方開口部となる植付け用穴開け器を構成する展開状の金属板製穴開け本体において、
前記金属板製穴開け本体を構成する下方縁部にして、且左端部より右端部にかけて台形状部を連接状に形成せしめ、前記台形状部の頂部に逆三角形状に切除もしくは切り落して鋸刃形状の刃部を連接状に形成せしめることを特徴とする、植付け用穴開け器の金属板製穴開け本体。
【請求項２】
前記穴開け本体を構成する台形状部の頂部が、水平状にて形成せしめられ、且前記台形状部の左右両側部に左傾斜状部と右傾斜状部が対称的に形成せしめられ、前記左傾斜状部と前記右傾斜状部の下方基部が、逆三角形状の谷部となっていることを特徴とする、請求項１に記載の植付け用穴開け器の金属板製穴開け本体。
【請求項３】
前記連接状に形成せしめられた各台形状部の左傾斜状部と右傾斜状部が前記谷部までの長さを夫々同一にて形成せしめられていることを特徴とする、請求項２に記載の植付け用穴開け器の金属板製穴開け本体。
【請求項４】
前記台形状部の各頂部が、同一の高さにて形成せしめられていることを特徴とする、請求項１又は２又は３に記載の植付け用穴開け器の金属板製穴開け本体。
【請求項５】
前記台形状部の各谷部が、同一の深さにて形成せしめられていることを特徴とする、請求項１又は２又は３又は４に記載の植付け用穴開け器の金属板製穴開け本体。